(57)【要約】  光ファイバアプリケーションでの使用に有利なブレークアウトアセンブリ及び関連する実装部材が提供される。より具体的には、本開示は、改善された光ファイバブレークアウトアセンブリ、及び嵌合機構を含む関連する実装部材(たとえば、実装パネル)を提供する。本開示は、光ファイバアプリケーションで使用するためのブレークアウトアセンブリ及び実装部材に対する改善されたシステム/設計を提供し、これらのブレークアウトアセンブリ及び実装部材は、費用効果が高く、効率的で、且つ/又は使いやすい。有利なブレークアウトアセンブリ、及び嵌合特徴を含む実装部材、並びに関連するアセンブリを利用することによって、複数の光ファイバケーブル/ファイバを含むバンドル又はハーネスから1以上の光ファイバケーブル/ファイバを容易に分離/分岐するための改善された、便利で、低コストで、且つ効果的なシステム、アセンブリ、及び方法が提供される。【選択図】図１
2014533847.tif 000002
【特許請求の範囲】
【請求項１】
光ファイバアプリケーションで使用するためのブレークアウトアセンブリであって、
第1の端部及び第2の端部を有するハウジングを備え、該ハウジングは、嵌合部材を含み、該嵌合部材は、支柱部材及び固定部材を含み、
前記ハウジングは、光ファイバブレークアウト領域の少なくとも一部分を収容するように構成され、
前記支柱部材は、前記ハウジングから延び、
前記固定部材は、前記支柱部材の少なくとも一側を越えて延びて、前記嵌合部材を画定し、
前記固定部材の少なくとも一部分は、実装部材に解放可能に固定されるように構成及び寸法設定される、アセンブリ。
【請求項２】
前記ハウジングの前記第1の端部は、複数の光ファイバケーブル又はファイバを含むケーブル又はハーネスの少なくとも一部分を収容するように構成及び適合され、
前記第2の端部は、2本の光ファイバケーブル又はファイバの少なくとも一部分を収容するように構成及び適合される、請求項1に記載のアセンブリ。
【請求項３】
前記ケーブル又はハーネスは、ジャケット付きの多芯ケーブルであり、
前記2本の光ファイバケーブル又はファイバは、ジャケット付きの単芯又は多芯ケーブルである、請求項2に記載のアセンブリ。
【請求項４】
前記第2の端部は、6本の光ファイバケーブル又はファイバの少なくとも一部分を収容するように構成及び適合され、
前記ケーブル又はハーネスは、ジャケット付きの12芯ケーブルであり、
前記6本の光ファイバケーブル又はファイバは、ジャケット付きの2芯ケーブルである、請求項2に記載のアセンブリ。
【請求項５】
前記第2の端部は、12本の光ファイバケーブル又はファイバの少なくとも一部分を収容するように構成及び適合され、
前記ケーブル又はハーネスは、ジャケット付きの12芯ケーブルであり、
前記12本の光ファイバケーブル又はファイバは、ジャケット付きの単芯ケーブルである、請求項2に記載のアセンブリ。
【請求項６】
前記ハウジングは、第1及び第2のハウジング構造体によって画定され、
前記第1及び第2のハウジング構造体は、前記ハウジングを画定するように互いに対して掛止される、請求項1に記載のアセンブリ。
【請求項７】
前記嵌合部材は、前記ハウジングから一体に形成される、請求項1に記載のアセンブリ。
【請求項８】
前記実装部材は、第2の部分より広い第1の部分を有する少なくとも一つのスロットを含み、
前記第1の部分は、前記嵌合部材の前記固定部材を前記スロットの前記第1の部分に通過させるように構成及び寸法設定され、
前記第2の部分は、前記嵌合部材の前記固定部材が前記スロットの前記第1の部分を通過してから前記ハウジングが前記スロットの前記第2の部分の方へ動いた後に、前記嵌合部材を前記実装部材に解放可能に固定するように構成及び寸法設定される、請求項1に記載のアセンブリ。
【請求項９】
前記ケーブル又はハーネスは、バンドル内に固定された多芯セグメントを含む光ファイバケーブルハーネスである、請求項2に記載のアセンブリ。
【請求項１０】
前記ハウジングは、光ファイバブレークアウト領域の少なくとも一部分の周囲又は外側にモールド成形又はオーバーモールド成形される、請求項1に記載のアセンブリ。
【請求項１１】
前記光ファイバブレークアウト領域は、前記ハウジングが前記光ファイバブレークアウト領域の外側を覆う前にプリモールド成形される、請求項2に記載のアセンブリ。
【請求項１２】
前記プリモールド成形の過程で利用される少なくとも一つの材料は、前記ブレークアウト領域又はその近傍の前記2本の光ファイバケーブル又はファイバのそれぞれからの強度部材を、前記ケーブル又はハーネスの強度部材に結合又は固定する、請求項11に記載のアセンブリ。
【請求項１３】
前記ハウジングは、オーバーモールド成形されたハウジングである、請求項1に記載のアセンブリ。
【請求項１４】
前記解放可能に固定された嵌合部材を有する前記実装部材が、ケーブルトレイ、垂直ワイヤーマネージャ、ラック取付け式の筐体、オーバーヘッドケーブル経路ラック、フロアボックス、マルチメディアワークステーションのアウトレット、壁面取付け式の筐体又はキャビネット、キャビネット、ラック、及びゼロUアプリケーションからなる群から選択される機器に対して取り付けられ、又は前記機器とともに利用される、請求項1に記載のアセンブリ。
【請求項１５】
前記実装部材は、ワイヤー又は機器に対して取り付けられ又は実装されるように構成及び寸法設定された少なくとも一つの取付部材を含む、請求項1に記載のアセンブリ。
【請求項１６】
前記実装部材は、貫通孔を画定する少なくとも一つの貫通孔部材を含み、該貫通孔部材は、前記実装部材をある表面に取り付けられるように構成及び寸法設定される、請求項1に記載のアセンブリ。
【請求項１７】
前記固定部材は、前記支柱部材の両側を越えて延びて実質上T字状の嵌合部材を画定する、請求項1に記載のアセンブリ。
【請求項１８】
前記固定部材は、前記支柱部材の外側面を越えて放射状に延びる、請求項1に記載のアセンブリ。
【請求項１９】
前記固定部材は、前記支柱部材の少なくとも一側を越えて延びて実質上L字状の嵌合部材を画定する、請求項1に記載のアセンブリ。
【請求項２０】
ブレークアウトアセンブリを実装部材に取り付ける方法であって、
第1の端部及び第2の端部を有するハウジングを提供するステップであって、該ハウジングは、(i)光ファイバブレークアウト領域の少なくとも一部分を収容するように構成され、(ii)嵌合部材を含み、該嵌合部材が支柱部材及び固定部材を含み、該支柱部材は、前記ハウジングから延び、該固定部材は、該支柱部材の少なくとも一側を越えて延びて該嵌合部材を画定する、ステップと、
前記嵌合部材を実装部材に解放可能に固定するステップと、を含む方法。
【請求項２１】
前記ハウジングの前記第1の端部は、複数の光ファイバケーブル又はファイバを含むケーブル又はハーネスの少なくとも一部分を収容するように構成及び適合され、
前記第2の端部は、2本の光ファイバケーブル又はファイバの少なくとも一部分を収容するように構成及び適合される、請求項20に記載の方法。
【請求項２２】
前記実装部材は、第2の部分より広い第1の部分を有する少なくとも一つのスロットを含み、
前記第1の部分は、前記嵌合部材の前記固定部材を前記スロットの前記第1の部分に通過させるように構成及び寸法設定され、
前記第2の部分は、前記嵌合部材の前記固定部材が前記スロットの前記第1の部分を通過してから前記ハウジングが前記スロットの前記第2の部分の方へ動いた後に、前記嵌合部材を前記実装部材に解放可能に固定するように構成及び寸法設定される、請求項20に記載の方法。
【請求項２３】
第1の端部及び第2の端部を有するハウジングを含み、該ハウジングは、(i)光ファイバブレークアウト領域の少なくとも一部分を収容するように構成され、(ii)嵌合部材を含み、前記嵌合部材は、支柱部材及び固定部材を含み、前記支柱部材は、前記ハウジングから延び、前記固定部材は、前記支柱部材の少なくとも一側を越えて延びて前記嵌合部材を画定する、光ファイバブレークアウトアセンブリと、
第2の部分より広い第1の部分を有する少なくとも一つのスロットを含み、前記第1の部分は、前記嵌合部材の前記固定部材を前記スロットの前記第1の部分に通過させるように構成及び寸法設定される、実装部材と、の組合せであって、
前記ハウジングの前記第1の端部は、複数の光ファイバケーブル又はファイバを含むケーブル又はハーネスの少なくとも一部分を収容するように構成及び適合され、
前記第2の端部は、2本の光ファイバケーブル又はファイバの少なくとも一部分を収容するように構成及び適合され、
前記少なくとも一つのスロットの前記第2の部分は、前記嵌合部材の前記固定部材が前記スロットの前記第1の部分を通過してから前記ハウジングが前記スロットの前記第2の部分の方へ動いた後に、前記嵌合部材を前記実装部材に解放可能に固定するように構成及び寸法設定される、
組合せ。
【発明の詳細な説明】
【技術分野】
【０００１】
本開示は、一般に、光ファイバアプリケーションで使用するためのブレークアウトアセンブリ及び関連する実装部材に関し、より詳細には、光ファイバブレークアウトアセンブリ、及び嵌合機構を含む関連する実装部材(たとえば、実装パネル)に関する。
【背景技術】
【０００２】
一般に、多くのデータ転送媒体は、ともに束ねた複数のライン(たとえば、複数対のライン/ファイバ)を含む。通信システムは、通常、データ転送のために、多くのそのような媒体(たとえば、光ファイバケーブルなど)を包含する。光ファイバケーブルは通常、光エネルギーのための伝送経路を提供する光ファイバを含む。
【０００３】
たとえば、複数の光ファイバケーブル/ファイバを含むバンドル又はハーネスを有するシステムが知られている。一般に、このバンドル又はハーネスからブレークアウト又はブレークアウト領域を提供することができ、バンドル又はハーネス内の1以上の光ファイバケーブル/ファイバは、システム/ネットワーク内の特定の構成要素に対する接続のために分岐又は分離される。
【０００４】
現在の慣行では、従来のブレークアウト及び/又はブレークアウト領域、並びに関連する実装アセンブリが非常に煩雑、複雑、且つ/又は非効率的になる。たとえば、一つの従来のブレークアウト又はブレークアウト領域は、ブレークアウト領域を覆うように収縮スリーブ付きのチューブなどを含むが、(たとえば、ラック、キャビネットなどに対する)機械的な実装手段を提供しない。他の従来の取組みは、平面用途向けのパネル又はブラケットを提供するが、そのような従来の取組みは通常、利用分野が非常に限定されており、また、適用性に関して非常に煩雑、複雑、且つ/又は非効率的になることがある。
【発明の概要】
【発明が解決しようとする課題】
【０００５】
したがって、これまでの取組みにもかかわらず、費用効果が高く、効率的で、且つ/又は使いやすい、光ファイバアプリケーションで使用するためのブレークアウトアセンブリ及び関連する実装部材に対する改善されたシステム/設計が依然として必要とされている。これら及びその他の非効率性、並びに改善に対する機会は、本開示のシステム、アセンブリ、及び方法によって対処及び/又は克服される。
【課題を解決するための手段】
【０００６】
本開示は、光ファイバアプリケーションで使用するための改善されたブレークアウトアセンブリ及び関連する実装部材を提供する。より具体的には、本開示は、有利な光ファイバブレークアウトアセンブリ、及び有利な嵌合機構を含む関連する実装部材(たとえば、実装パネル)を提供する。概して、本開示は、光ファイバアプリケーションで使用するためのブレークアウトアセンブリ及び関連する実装部材に対する改善されたシステム/設計を提供し、これらのブレークアウトアセンブリ及び実装部材は、費用効果が高く、効率的で、且つ/又は使いやすい。例示的な実施形態では、本開示は、有利なブレークアウトアセンブリ、及び嵌合機構を含む実装部材、並びに関連するアセンブリを利用することによって、複数の光ファイバケーブル/ファイバを含むバンドル又はハーネスから、1以上の光ファイバケーブル/ファイバを容易に分離/分岐するための、改善された、便利で、低コストで、且つ効果的な、システム及び方法を提供する。
【０００７】
本開示は、光ファイバアプリケーションで使用するためのブレークアウトアセンブリであって、第1の端部及び第2の端部を有するハウジングを含み、該ハウジングは、嵌合部材を含み、該嵌合部材は、支柱部材及び固定部材を含み、前記ハウジングは、光ファイバブレークアウト領域の少なくとも一部分を収容するように構成され、前記支柱部材は、前記ハウジングから延び、前記固定部材は、前記支柱部材の少なくとも一側を越えて延びて前記嵌合部材を画定し、前記固定部材の少なくとも一部分は、実装部材に解放可能に固定されるように構成及び寸法設定される、アセンブリを提供する。
【０００８】
本開示は、また、光ファイバアプリケーションで使用するためのブレークアウトアセンブリであって、前記ハウジングの第1の端部は、複数の光ファイバケーブル又はファイバを含むケーブル又はハーネスの少なくとも一部分を収容するように構成及び適合され、前記第2の端部は、2本の光ファイバケーブル又はファイバの少なくとも一部分を収容するように構成及び適合される、アセンブリを提供する。本開示は、また、光ファイバアプリケーションで使用するためのブレークアウトアセンブリであって、前記ケーブル又はハーネスは、ジャケット付きの多芯ケーブルであり、前記2本の光ファイバケーブル又はファイバは、ジャケット付きの単芯又は多芯ケーブルである、アセンブリを提供する。本開示はまた、光ファイバアプリケーションで使用するためのブレークアウトアセンブリであって、前記第2の端部は、6本の光ファイバケーブル又はファイバの少なくとも一部分を収容するように構成及び適合され、前記ケーブル又はハーネスは、ジャケット付きの12芯ケーブルであり、前記6本の光ファイバケーブル又はファイバは、ジャケット付きの2芯ケーブルである、アセンブリを提供する。
【０００９】
本開示は、また、光ファイバアプリケーションで使用するためのブレークアウトアセンブリであって、前記第2の端部は、12本の光ファイバケーブル又はファイバの少なくとも一部分を収容するように構成及び適合され、前記ケーブル又はハーネスは、ジャケット付きの12芯ケーブルであり、前記12本の光ファイバケーブル又はファイバは、ジャケット付きの単芯ケーブルである、アセンブリを提供する。本開示は、また、光ファイバアプリケーションで使用するためのブレークアウトアセンブリであって、前記ハウジングは、第1及び第2のハウジング構造体によって画定され、前記第1及び第2のハウジング構造体は、前記ハウジングを画定するように互いに対して掛止される、アセンブリを提供する。本開示はまた、光ファイバアプリケーションで使用するためのブレークアウトアセンブリであって、前記嵌合部材は、前記ハウジングから一体に形成される、アセンブリを提供する。
【００１０】
本開示は、また、光ファイバアプリケーションで使用するためのブレークアウトアセンブリであって、前記実装部材は、第2の部分より広い第1の部分を有する少なくとも一つのスロットを含み、前記第1の部分は、前記嵌合部材の前記固定部材を前記スロットの前記第1の部分に通過させるように構成及び寸法設定され、前記第2の部分は、前記嵌合部材の前記固定部材が前記スロットの前記第1の部分を通過してから前記ハウジングが前記スロットの前記第2の部分の方へ動いた後に、前記嵌合部材を前記実装部材に解放可能に固定するように構成及び寸法設定される、アセンブリを提供する。
【００１１】
本開示は、また、光ファイバアプリケーションで使用するためのブレークアウトアセンブリであって、前記ケーブル又はハーネスは、バンドル内に固定された多芯セグメントを含む光ファイバケーブルハーネスである、アセンブリを提供する。本開示はまた、光ファイバアプリケーションで使用するためのブレークアウトアセンブリであって、前記ハウジングは、光ファイバブレークアウト領域の少なくとも一部分の周囲又は外側にモールド成形又はオーバーモールド成形される、アセンブリを提供する。本開示は、また、光ファイバアプリケーションで使用するためのブレークアウトアセンブリであって、前記光ファイバブレークアウト領域は、前記ハウジングが前記光ファイバブレークアウト領域の外側を覆う前にプリモールド成形される、アセンブリを提供する。
【００１２】
本開示は、また、光ファイバアプリケーションで使用するためのブレークアウトアセンブリであって、前記プリモールド成形の過程で利用される少なくとも一つの材料は、前記ブレークアウト領域又はその近傍の前記2本の光ファイバケーブル又はファイバのそれぞれからの強度部材を、前記ケーブル又はハーネスの強度部材に結合又は固定する、アセンブリを提供する。本開示は、また、光ファイバアプリケーションで使用するためのブレークアウトアセンブリであって、前記ハウジングは、オーバーモールド成形されたハウジングである、アセンブリを提供する。本開示は、また、光ファイバアプリケーションで使用するためのブレークアウトアセンブリであって、前記解放可能に固定された嵌合部材を有する前記実装部材は、ケーブルトレイ、垂直ワイヤーマネージャ、ラック取付け式の筐体、オーバーヘッドケーブル経路ラック、フロアボックス、マルチメディアワークステーションのアウトレット、壁面取付け式の筐体又はキャビネット、キャビネット、ラック、及びゼロUアプリケーション(zero-U application)からなる群から選択される機器に対して取り付けられ、又はその機器とともに利用される、アセンブリを提供する。
【００１３】
本開示は、また、光ファイバアプリケーションで使用するためのブレークアウトアセンブリであって、前記実装部材は、ワイヤー又は機器に対して取り付けられ、又は実装されるように構成及び寸法設定された少なくとも一つの取付部材を含む、アセンブリを提供する。本開示は、また、光ファイバアプリケーションで使用するためのブレークアウトアセンブリであって、前記実装部材は、貫通孔を画定する少なくとも一つの貫通孔部材を含み、該貫通孔部材は、前記実装部材を、ある表面に取り付けられるように構成及び寸法設定される、アセンブリを提供する。本開示は、また、光ファイバアプリケーションで使用するためのブレークアウトアセンブリであって、前記固定部材は、前記支柱部材の両側を越えて延びて実質上T字状の嵌合部材を画定する、アセンブリを提供する。
【００１４】
本開示は、また、光ファイバアプリケーションで使用するためのブレークアウトアセンブリであって、前記固定部材は、前記支柱部材の外側面を越えて放射状に延びる、アセンブリを提供する。本開示は、また、光ファイバアプリケーションで使用するためのブレークアウトアセンブリであって、前記固定部材は、前記支柱部材の少なくとも一側を越えて延びて実質上L字状の嵌合部材を画定する、アセンブリを提供する。
【００１５】
本開示は、また、ブレークアウトアセンブリを実装部材に取り付ける方法であって、第1の端部及び第2の端部を有するハウジングを提供するステップであって、該ハウジングは、(i)光ファイバブレークアウト領域の少なくとも一部分を収容するように構成され、(ii)嵌合部材を含み、該嵌合部材が支柱部材及び固定部材を含み、該支柱部材は、ハウジングから延び、該固定部材は、該支柱部材の少なくとも一側を越えて延びて該嵌合部材を画定する、ステップと、前記嵌合部材を実装部材に解放可能に固定するステップと、を含む、方法を提供する。
【００１６】
本開示は、また、ブレークアウトアセンブリを実装部材に取り付ける方法であって、前記ハウジングの第1の端部は、複数の光ファイバケーブル又はファイバを含むケーブル又はハーネスの少なくとも一部分を収容するように構成及び適合され、前記第2の端部は、2本の光ファイバケーブル又はファイバの少なくとも一部分を収容するように構成及び適合される、方法を提供する。本開示は、また、ブレークアウトアセンブリを実装部材に取り付ける方法であって、前記実装部材は、第2の部分より広い第1の部分を有する少なくとも一つのスロットを含み、前記第1の部分は、前記嵌合部材の前記固定部材を前記スロットの前記第1の部分に通過させるように構成及び寸法設定され、前記第2の部分は、前記嵌合部材の前記固定部材が前記スロットの前記第1の部分を通過してから前記ハウジングが前記スロットの前記第2の部分の方へ動いた後に、前記嵌合部材を前記実装部材に解放可能に固定するように構成及び寸法設定される、方法を提供する。
【００１７】
本開示は、また、第1の端部及び第2の端部を有するハウジングを含み、該ハウジングが、(i)光ファイバブレークアウト領域の少なくとも一部分を収容するように構成され、(ii)嵌合部材を含み、該嵌合部材は、支柱部材及び固定部材を含み、該支柱部材は、該ハウジングから延び、該固定部材が、該支柱部材の少なくとも一側を越えて延びて該嵌合部材を画定する、光ファイバブレークアウトアセンブリと、第2の部分より広い第1の部分を有する少なくとも一つのスロットを含み、該第1の部分は、前記嵌合部材の前記固定部材を該スロットの該第1の部分に通過させるように構成及び寸法設定される、実装部材との組合せであって、前記ハウジングの前記第1の端部は、複数の光ファイバケーブル又はファイバを含むケーブル又はハーネスの少なくとも一部分を収容するように構成及び適合され、前記第2の端部は、2本の光ファイバケーブル又はファイバの少なくとも一部分を収容するように構成及び適合され、前記少なくとも一つのスロットの前記第2の部分は、前記嵌合部材の前記固定部材が前記スロットの前記第1の部分を通過してから前記ハウジングが前記スロットの前記第2の部分の方へ動いた後に、前記嵌合部材を前記実装部材に解放可能に固定するように構成及び寸法設定される、組み合わせを提供する。
【００１８】
本開示の開示するシステム、アセンブリ、及び方法の追加の有利な特徴、機能、及び用途は、以下の説明から、特に添付の図とともに読めば明らかになるであろう。
【００１９】
当業者が開示のシステム、アセンブリ、及び方法を作製及び使用するのを助けるために、添付の図を参照する。
【図面の簡単な説明】
【００２０】
【図１】ブレークアウトハウジングの組立て前の本開示の例示的な実施形態によるブレークアウトアセンブリの側方からの斜視図である。
【図２】図1のアセンブリのハウジングの組立て後の側方からの斜視図である。
【図３】図2のブレークアウトアセンブリの側面図である。
【図４】図2のブレークアウトアセンブリの上面図である。
【図５】図2のブレークアウトアセンブリの底面図である。
【図６】図2のブレークアウトアセンブリの背面図である。
【図７】ブレークアウトアセンブリの組立て前の本開示の例示的な実施形態による実装部材の斜視図である。
【図８】図2のブレークアウトアセンブリが実装された図7の実装部材の上方からの斜視図である。
【図９】複数の例示的なブレークアウトアセンブリが実装された図7の実装部材の側方からの斜視図である。
【図１０】図9の実装部材の上面図である。
【図１１】図9の実装部材の側面図である。
【図１２】図9の実装部材の底部の斜視図である。
【図１３】図9の実装部材の底面図である。
【図１４】本開示の例示的な実施形態によるブレークアウトアセンブリ及び関連する実装部材を実装する様々な場所を示す図である。
【図１５】本開示の例示的な実施形態によるブレークアウトアセンブリ及び関連する実装部材を取り付ける様々な場所を示す図である。
【図１６】実装部材を断面で示す、本開示の別の例示的な実施形態による実装部材に対して実装されたブレークアウトアセンブリの側面図である。
【図１７】図16のブレークアウトアセンブリ及び実装部材の部分底面図である。
【図１８】実装部材を断面で示す、本開示の別の例示的な実施形態による実装部材に対して実装されたブレークアウトアセンブリの側面図である。
【図１９】図18のブレークアウトアセンブリ及び実装部材の部分底面図である。
【図２０】実装部材を断面で示す、図18のブレークアウトアセンブリ及び実装部材の背面図である。
【発明を実施するための形態】
【００２１】
以下の説明では、同様の部分を、明細書及び図面全体にわたって、それぞれ同じ参照番号で示す。図面は、必ずしも原寸に比例するとは限らず、いくつかの図では、分かりやすくするために一部が強調されていることがある。
【００２２】
概して、光ファイバアプリケーションで使用するための有利なブレークアウトアセンブリ及び関連する実装部材が提供される。より具体的には、本開示は、嵌合機構を含む、改善された光ファイバブレークアウトアセンブリ及び関連する実装部材(たとえば、実装パネル)を提供する。たとえば、本開示は、光ファイバアプリケーションで使用するためのブレークアウトアセンブリ及び実装部材に対する改善されたシステム/設計を提供するものであり、これらのブレークアウトアセンブリ及び実装部材は、費用効果が高く、効率的で、且つ/又はユーザーフレンドリーである。言い換えれば、本開示は、嵌合特徴を含む、有利なブレークアウトアセンブリ及び実装部材、並びに関連するアセンブリを利用すること(たとえば、関連する実装部材上のブレークアウトアセンブリをグループ化すること)によって、複数の光ファイバケーブル/ファイバを含むバンドル又はハーネスから、1以上の光ファイバケーブル/ファイバを容易に分離/分岐するための、改善された、便利で、低コストで、且つ効果的なシステム及び方法を提供する。
【００２３】
一般に、現在の慣行では、ブレークアウト及び/又はブレークアウト領域、並びに関連する実装アセンブリが非常に煩雑、複雑、且つ/又は非効率的になる。たとえば、典型的な一つのブレークアウトアセンブリ又はブレークアウト領域は、ブレークアウト領域を収縮スリーブ状に被覆するチューブなどを含むが、ブレークアウト領域/アセンブリに対して、(たとえば、ラック、キャビネットなどへの)機械的な実装手段を提供しない。さらに、他の取組みは、平面用途向けのパネル又はブラケットなどを提供するが、そのような取組みは、適用可能な用途が非常に限定されており、また非常に煩雑、複雑、且つ/又は非効率的になることがある。例示的な実施形態では、本開示は、嵌合機構を含む、有利なブレークアウトアセンブリ及び実装部材を利用することによって、複数の光ファイバケーブル/ファイバを含むバンドル又はハーネスから、1以上の光ファイバケーブル/ファイバを容易に分離/分岐するための、改善された、便利で、低コストで、且つ効果的なシステム及び方法を提供し、その結果、著しい製造上及び商業上の利点を提供する。
【００２４】
ここで、図面を参照すると、光ファイバアプリケーションで使用するための例示的なブレークアウトアセンブリ10が示されている。例示的な実施形態では、ブレークアウトアセンブリ10は、複数の光ファイバケーブル/ファイバを含むバンドル、ケーブル、又はハーネス14から1以上の光ファイバケーブル/ファイバ12を分離/分岐するように構成され、寸法設定される。一実施形態では、ブレークアウトアセンブリ10は、以下でさらに論じるように、ブレークアウト領域/区域16を通る単芯接続12の対に、多芯MPO式接続を提供する。
【００２５】
例示的な実施形態では、バンドル、ケーブル、又はハーネス14は、ジャケット付きの多芯ケーブルであるが、本開示はそれに限定されるものではない。たとえば、ケーブル/バンドル14は、ジャケット付きの12芯ケーブルなどとすることができる。しかし、ケーブル/バンドル14は、様々な形態(たとえば、ジャケット付きの8芯ケーブル、ジャケット付きの24芯ケーブルなど)をとることができることに留意されたい。バンドル/ハーネス14についても、バンドル内に固定された多芯ケーブルセグメントを含む光ファイバケーブルハーネスの形態をとることができる。
【００２６】
例示的な実施形態では、1以上の光ファイバケーブル/ファイバ12の各ケーブル/ファイバ12は、ジャケット付きの単芯又は多芯ケーブル12である。たとえば、ケーブル12は、ジャケット付きの2芯ケーブルなどとすることができる。しかし、各ケーブル/ファイバ12は、様々な形態(たとえば、ジャケット付きの単芯ケーブルなど)をとることができることに留意されたい。一実施形態では、ブレークアウトアセンブリ10は、(たとえば、ケーブル/バンドル14がジャケット付きの12芯ケーブルであるときに)6本の個々のジャケット付きの2芯ケーブル12を含む。あるいは、ブレークアウトアセンブリ10は、(たとえば、ケーブル/バンドル14がジャケット付きの12芯ケーブルであるときに)12本の個々のジャケット付きの単芯ケーブル12を含むことができる。同様に、ブレークアウトアセンブリ10は、(たとえば、ケーブル/バンドル14がジャケット付きの24芯ケーブルであるときに)12本の個々のジャケット付きの2芯ケーブル12を含むことができ、以下同様である。
【００２７】
概して、光ファイバブレークアウトアセンブリ10は、ハウジング18を含む。例示的な実施形態では、ハウジング18は、上部ハウジング部分又は部材18aと、下部ハウジング部分又は部材18bとを含む。ハウジング18は、典型的には、光ファイバブレークアウト領域/区域16の少なくとも一部分を収容し、覆い、且つ/又は画定するように構成され、寸法設定される。上部ハウジング部材18aは、概して、下部ハウジング部材18bに対して取り付けられ、固定され、且つ/又は実装されて、ブレークアウト領域/区域16を実質上覆い、又は収容するように、構成及び適合される。例示的な実施形態では、ハウジング18は、クラムシェルハウジングなどの形態をとる。
【００２８】
たとえば、図1に示すように、上部ハウジング部材18aと下部ハウジング部材18bは、たとえば下部ハウジング部材18bの上面から延びる掛止部材20によって、掛止又はスナップ嵌めで組み合わされるように適合される。そのような掛止又はスナップ嵌め部材20は、上部ハウジング部材18a内に形成された嵌合スロット又は溝22に取外し可能に係合する。言い換えれば、上部ハウジング部材18aは、下部ハウジング部材18bに解放可能にスナップ嵌めで組み合わせることができ、且つ/又は、下部ハウジング部材18bに対して実装することができる。別の実施形態では、ハウジング18は、ブレークアウト領域/区域16の周囲及び/又は外側に、モールド成形又はオーバーモールド成形することができる。
【００２９】
概して、図1に示すように、ハウジング18の第1の端部24は、バンドル、ケーブル、又はハーネス14の少なくとも一部分を受け入れ、且つ/又は、収容するように構成され、ハウジング18の第2の端部26は、1以上の光ファイバケーブル/ファイバ12の少なくとも一部分を受け入れ、且つ/又は、収容するように構成される。
【００３０】
例示的な実施形態では、ブレークアウト領域/区域16の周囲及び/又は外側に、ハウジング18が組み立てられ、固定され、又はオーバーモールド成形される前に、光ファイバブレークアウト領域/区域16は、プリモールド成形又はそれと同様にされている。たとえば、(i)オーバーモールド成形されたハウジング18、又は、(ii)組み立てられたハウジング18(たとえば、スナップ留めで組み合わされたハウジング)によって覆われ、又は収容される前に、光ファイバブレークアウト領域/区域16は、モールド成形又はプリモールド成形の過程で事前に構成することができる。概して、そのようなモールド成形又はプリモールド成形の過程では、モールド成形/プリモールド成形されるブレークアウト領域/区域16の幾何形状又は形状が、ハウジング18の内部(たとえば、クラムシェルハウジング又はスナップ留めで組み合わされたハウジング18の内部)に適合したものとなる。例示的な実施形態では、モールド成形又はプリモールド成形プロセス中に利用される化合物、材料、又は物質の少なくとも一つは、その後、ブレークアウト領域/区域16又はその近傍の1以上の各光ファイバケーブル/ファイバ12(たとえば、ジャケット付きの単芯又は多芯ケーブル)からの強度部材などを、バンドル又はケーブル14(たとえば、ジャケット付きの多芯ケーブル)の強度部材などに結合及び/又は固定する。1以上の光ファイバケーブル/ファイバ12のそれぞれの強度部材を、バンドル又はケーブル14の強度部材にそのように結合及び/又は固定することで、アセンブリ10の個々のファイバを危険/損傷から保護する。
【００３１】
このようにしてブレークアウト領域/区域/接合16を事前に構成することによって、ハウジング18の幾何形状の柔軟性が増大し、ブレークアウトアセンブリ10の様式又は形状の範囲を発展させられることが分かった。たとえば、ハウジング18のモールド成形プロセスの結果、ブレークアウト領域/区域16の周囲及び/又は外側にオーバーモールド成形されたハウジング18は、モールド成形/プリモールド成形されたブレークアウト領域/区域16の形状に従う。さらに上述したように、そのようなモールド成形又はプリモールド成形プロセスでは、モールド成形/プリモールド成形されるブレークアウト領域/区域16の幾何形状又は形状が、オーバーモールド成形されていないハウジング18(たとえば、上部ハウジング部材18a及び下部ハウジング部材18bを有する噛み合いハウジング18)の内部に適合するものとすることができる。
【００３２】
概して、ハウジング18は、典型的には、嵌合部材28を含む。一実施形態では、ハウジング18(又は下部ハウジング部材18b)と嵌合部材28は、互いに対して一体構造である(たとえば、嵌合部材28は、ハウジング18又は下部ハウジング部材18bから一体形成される)が、本開示はそれだけに限定されるものではない。別法として、嵌合部材28は、別個に製作し、次いでハウジング18に対して固定し、取り付け、又は実装することもできる。
【００３３】
概して、嵌合部材28は、図7〜13に関連して以下でさらに論じるように、実装部材30に解放可能に固定又は取り付けられるように構成され、寸法設定される。したがって、その結果、使用者は、実装部材30を、所望の位置及び/又は場所に実装し、取り付け、且つ/又は、固定することができる。たとえば、図14〜15に示すように、取り付けられ/固定されたブレークアウトアセンブリ10を有する実装部材30は、ケーブルトレイ100、垂直ワイヤーマネージャ200、ラック取付け式の筐体300、オーバーヘッドケーブル経路ラック400、フロアボックス500、マルチメディアワークステーションの(たとえばファイバ及び銅線用の)アウトレット600、壁面取付け式の筐体若しくはキャビネット700、キャビネット800、900、ラック、又はゼロUアプリケーションに対して取り付けることができ、且つ/又はそれらとともに利用することができる。例示的な実装部材30は、矩形又は正方形で実質上平面の実装部材又はパネル30の形態をとるが、本開示はそれに限定されるものではない。むしろ、実装部材30は、様々な形態をとることができる。
【００３４】
例示的な実施形態では、嵌合部材28は、ハウジング18(たとえば下部ハウジング部材18b)から延びる実質上T字状又はフィン状の部材又は突起であり、嵌合部材28の少なくとも一部分を実装部材30の少なくとも一部分に解放可能に固定又は取り付けることを可能にする。概して、嵌合部材28は、ブレークアウトアセンブリ10を実装部材30に対して解放可能に固定し、又は実装することを可能にする、少なくとも一つの嵌合機構を画定する。
【００３５】
例示的な実施形態では、図6に最もよく示すように、嵌合部材28は、ハウジング18又は18bから延びる支柱部材31と、支柱部材31の両側を越えて、又は支柱部材31の両側を通り越して延びる固定部材33とを含み、それによって、ハウジング18又は18bから延びる(たとえばハウジング18の底部から延びる)実質上T字状又はフィン状の部材又は突起(すなわち嵌合部材28)を画定する。概して、支柱部材31及び固定部材33は、互いに対して一体構造であるが、本開示はそれだけに限定されるものではない。支柱部材31は、また、ハウジング18又は18bに対して(たとえばハウジング18の溝又はスロットに対して)取り付けられ、固定され、又は実装されるように構成及び寸法設定された、取付部材を含むことができる。
【００３６】
上述したように、アセンブリ10の嵌合部材28は、典型的には、実装部材30に解放可能に固定され、又は取り付けられるように構成及び寸法設定される。概して、実装部材30は、少なくとも一つの嵌合スロット、開口、又は溝35を含む。例示的な実施形態では、図7〜8に示すように、実装部材30は、四つのスロット、開口、又は溝35を含む。各スロット35は、典型的には、一つのブレークアウトアセンブリ10を受け入れて、実装部材30に解放可能に固定/取り付けするように構成及び寸法設定される。
【００３７】
たとえば、スロット35は、典型的には、第2の部分39より広い第1の部分37を含む。例示的な実施形態では、スロット35の第1の部分37は、嵌合部材28の固定部材33を受け入れ、且つ/又は、スロット35の第1の部分37によって画定された開口に、嵌合部材28の固定部材33を通過させることができるように、構成及び適合される。固定部材33がスロット35の第1の部分37を通過した後、使用者は、次いで、ブレークアウトアセンブリをスロット35の第2の部分39の方へ動かし、又は摺動させ、それによって、固定部材33を、実装部材30に解放可能に且つ/又はロック状態で固定することができる。言い換えれば、固定部材33を、より広い部分37に通し、次いで、ブレークアウトアセンブリ10を、より狭い部分39の方へ動かして、固定部材33の少なくとも一部分を、実装部材30の少なくとも一部分の下及び/又は後ろに、(たとえば摺動式の蟻継のように)ロック状態で係合させることによって、固定部材33は、実装部材30に解放可能に固定され、又は取り付けられる。そのような手法により、ブレークアウトアセンブリ10の実装部材30からの意図しない脱落を防止し、又は実質上、除外する。概して、アセンブリ10を第1の部分37の方へ動かし、第1の部分37によって画定された開口に固定部材33を通すことによって、ブレークアウトアセンブリ10を実装部材30から解放し、又は取り外すことができる。
【００３８】
別の実施形態では、ブレークアウトアセンブリ10及び/又は実装部材30は、掛止部材又はスナップ機構/部材などを含むことができ、たとえば下部ハウジング部材18bから、及び/又は、実装部材30の上面から延びる掛止部材によって、ブレークアウトアセンブリ10と実装部材30とを掛止又はスナップ嵌めで組み合わされるようにすることができる。そのような掛止又はスナップ嵌め部材は、実装部材30及び/又は下部ハウジング部材18bに形成された嵌合スロット又は溝に取外し可能に係合するはずである。
【００３９】
別の一実施形態では、図16〜17に示すように、光ファイバアプリケーションで使用するためのブレークアウトアセンブリ110及び実装部材130が示されている。ブレークアウトアセンブリ110及び実装部材130は、いくつかの違いを除いて、それぞれ上記で論じたブレークアウトアセンブリ10及び実装部材30に、構造上及び機能上類似したものとすることができる。
【００４０】
アセンブリ10と同様に、ブレークアウトアセンブリ110は、典型的には、複数の光ファイバケーブル/ファイバを含む、バンドル、ケーブル、又はハーネス14から、1以上の光ファイバケーブル/ファイバ12を分離/分岐するように、構成及び寸法設定される。アセンブリ10のように、ブレークアウトアセンブリ110は、(たとえばハウジング18に類似する)ハウジング118を含む。
【００４１】
図16〜17に示すように、ハウジング118は、嵌合部材128を含む。概して、嵌合部材128は、実装部材130に解放可能に固定され、又は取り付けられるように、構成及び寸法設定される。本開示の例示的な実施形態では、嵌合部材128は、ハウジング118から延びる部材又は突起であり、嵌合部材128の少なくとも一部分を、実装部材130の少なくとも一部分に解放可能に固定することを可能にする。
【００４２】
一実施形態では、嵌合部材128は、ハウジング118から延びる支柱部材131と、支柱部材131の外側面を越えて、又は通り越して、(たとえば放射状又は径方向に)延びる固定部材133とを含む。
【００４３】
概して、実装部材130は、少なくとも一つの嵌合スロット、開口、又は溝135を含む。スロット135は、典型的には、第2の部分139より大きい/広い第1の部分137を含む。第1の部分137は、固定部材133を受け入れ、且つ/又は、第1の部分137によって画定された開口に、固定部材133を通過させることができるように構成され、その結果、使用者は、アセンブリ110を、第2の部分139の方へ動かし又は摺動させ、それによって、固定部材133を、実装部材130に対して、解放可能に且つ/又はロック状態で、固定することができる。
【００４４】
別の代替実施形態では、図18〜20に示すように、光ファイバアプリケーションで使用するためのブレークアウトアセンブリ210及び実装部材230が示されている。ブレークアウトアセンブリ210及び実装部材230は、いくつかの違いを除いて、それぞれ上記で論じたブレークアウトアセンブリ10及び実装部材30に、構造上及び機能上、類似したものとすることができる。
【００４５】
アセンブリ10及び110と同様に、アセンブリ210は、典型的には、複数のケーブル/ファイバを含むバンドル14から、1以上の光ファイバケーブル/ファイバ12を分離/分岐するように、構成及び寸法設定される。アセンブリ10のように、アセンブリ210は、典型的には、ハウジング218を含む。
【００４６】
図18〜20に示すように、ハウジング218は、嵌合部材228a及び228bを含む。概して、嵌合部材228a、228bは、実装部材230に解放可能に固定され、又は取り付けられるように構成及び寸法設定される。例示的な実施形態では、各嵌合部材228a、228bは、ハウジング218から延びる部材又は突起であり、嵌合部材228a、228bの少なくとも一部分を実装部材230の少なくとも一部分に解放可能に固定することを可能にする。
【００４７】
一実施形態では、各嵌合部材228a、228bは、それぞれハウジング218から延びる支柱部材231a、231bを含む。固定部材233a、233bは、それぞれ支柱部材231a、231bの少なくとも一側を越えて、又は通り越して延び、ハウジング218の底部から延びる、実質上L字状の嵌合部材228a、228bを画定する。
【００４８】
実装部材230は、典型的には、スロット/溝235a、235bを含む。スロット235a、235bは、それぞれ第2の部分239a、239bより大きい/広い、第1の部分237a、237bを含む。第1の部分237a、237bは、固定部材233a、233bを受け入れ、且つ/又は、それぞれ第1の部分237a、237bによって画定された開口に、固定部材233a、233bを通過させることができるように構成される。その結果、使用者は、アセンブリ210を、第2の部分239a、239bの方へ動かし、又は摺動させ、それによって、固定部材233a、233bを、実装部材230に対して、解放可能に且つ/又はロック状態で、固定することができる。
【００４９】
例示的な実装部材30(又は部材130若しくは部材230)は、このようにして複数(たとえば、四つ)のブレークアウトアセンブリをその上に実装又は固定することを可能にする。これは、使用者が、ブレークアウトアセンブリ10(又はアセンブリ110若しくはアセンブリ210)を、(たとえば実装部材30上で)省スペースで多用途のモジュール配置にグループ化及び/又は組織化できるようにするのに有利である。実装部材30への1以上のアセンブリ10の実装は、速やかでユーザーフレンドリーであり、多くの様式の物理的支持媒体に適合する。
【００５０】
(1以上の)ブレークアウトアセンブリ10が、実装部材30に解放可能に固定又は連結された後、使用者は、次いで、ブレークアウトアセンブリ10がその上に実装された実装部材30を、任意の所望の位置及び/又は場所に取り付け、又は利用することができる(図14〜15)。例示的な実施形態では、図11に示すように、実装部材30は、典型的には、様々な機器及び/又はワイヤーなどに対して取り付けられ、又は、実装されるように構成及び寸法設定された、少なくとも一つの取付部材41を含む。概して、実装部材30は、複数の取付部材41を含み、取付部材41は、少なくとも二つのワイヤーピッチに対する取り付けに対応するように構成される。たとえば、取付部材41は、ワイヤー管理機器内で使用される丸いワイヤーなどに対応及び/又はスナップ留めすることができる。
【００５１】
例示的な実施形態では、図7〜13に示すように、実装部材30は、典型的には、貫通孔を画定する少なくとも一つの貫通孔部材43を含み、実装部材30を、ある表面(たとえば、実質上平坦な表面)に取り付けることを可能にするように、構成及び寸法設定される。概して、実装部材30は、複数(たとえば四つ)の貫通孔部材43を含み、貫通孔部材43は、実装部材30を任意の表面に強固に取り付けることができるように構成される。たとえば、各貫通孔部材43は、実装部材30を、ある表面に取り付けることを可能にするために、ねじ付きハードウェアなどとともに利用されるように、構成及び適合することができる。代替実施形態では、実装部材30は、キー溝による実装などを介して、ある表面(たとえば、実質上平坦な表面)に取り付けることができる。
【００５２】
本開示のシステム、アセンブリ、及び方法について、その例示的な実施形態を参照しながら説明したが、本開示は、そのような例示的な実施形態及び/又は実装形態に限定されるものではない。むしろ、本開示から当業者には容易に明らかになるように、本開示のシステム、アセンブリ、及び方法には、多くの実装形態及び応用例が可能である。本開示は、開示された実施形態のそのような修正、改良、及び/又は変形を明白に包含する。本開示の範囲から逸脱することなく、上記の構造には多くの変更を加えることができ、本開示の多くの幅広い異なる実施形態を行うことができるため、図面及び明細書内に含まれるすべての事柄は、限定的な意味ではなく例示として解釈されるものであることが意図される。上記の開示内では、追加の修正、変更、及び置き換えが意図されている。したがって、添付の特許請求の範囲は、本開示の範囲に照らして広く解釈されることが適当である。
【図１】
2014533847.tif 000003
【図２】
2014533847.tif 000004
【図３】
2014533847.tif 000005
【図４】
2014533847.tif 000006
【図５】
2014533847.tif 000007
【図６】
2014533847.tif 000008
【図７】
2014533847.tif 000009
【図８】
2014533847.tif 000010
【図９】
2014533847.tif 000011
【図１０】
2014533847.tif 000012
【図１１】
2014533847.tif 000013
【図１２】
2014533847.tif 000014
【図１３】
2014533847.tif 000015
【図１４】
2014533847.tif 000016
【図１５】
2014533847.tif 000017
【図１６】
2014533847.tif 000018
【図１７】
2014533847.tif 000019
【図１８】
2014533847.tif 000020
【図１９】
2014533847.tif 000021
【図２０】
2014533847.tif 000022
【手続補正書】
【提出日】平成26年7月23日(2014.7.23)
【手続補正１】
【補正対象書類名】特許請求の範囲
【補正対象項目名】全文
【補正方法】変更
【補正の内容】
【特許請求の範囲】
【請求項１】
光ファイバアプリケーションで使用するためのブレークアウトアセンブリであって、
第1の端部及び第2の端部を有するハウジングを備え、該ハウジングは、嵌合部材を含み、該嵌合部材は、支柱部材及び固定部材を含み、
前記ハウジングは、光ファイバブレークアウト領域の少なくとも一部分を収容するように構成され、
前記支柱部材は、前記ハウジングから延び、
前記固定部材は、前記支柱部材の少なくとも一側を越えて延びて、前記嵌合部材を画定し、
前記固定部材の少なくとも一部分は、実装部材に解放可能に固定されるように構成及び寸法設定される、アセンブリ。
【請求項２】
前記ハウジングの前記第1の端部は、複数の光ファイバケーブル又はファイバを含むケーブル又はハーネスの少なくとも一部分を収容するように構成及び適合され、
前記第2の端部は、2本の光ファイバケーブル又はファイバの少なくとも一部分を収容するように構成及び適合される、請求項1に記載のアセンブリ。
【請求項３】
前記ケーブル又はハーネスは、ジャケット付きの多芯ケーブルであり、
前記2本の光ファイバケーブル又はファイバは、ジャケット付きの単芯又は多芯ケーブルである、請求項2に記載のアセンブリ。
【請求項４】
前記ハウジングは、第1及び第2のハウジング構造体によって画定され、
前記第1及び第2のハウジング構造体は、前記ハウジングを画定するように互いに対して掛止される、請求項1に記載のアセンブリ。
【請求項５】
前記嵌合部材は、前記ハウジングから一体に形成される、請求項1に記載のアセンブリ。
【請求項６】
前記実装部材は、第2の部分より広い第1の部分を有する少なくとも一つのスロットを含み、
前記第1の部分は、前記嵌合部材の前記固定部材を前記スロットの前記第1の部分に通過させるように構成及び寸法設定され、
前記第2の部分は、前記嵌合部材の前記固定部材が前記スロットの前記第1の部分を通過してから前記ハウジングが前記スロットの前記第2の部分の方へ動いた後に、前記嵌合部材を前記実装部材に解放可能に固定するように構成及び寸法設定される、請求項1に記載のアセンブリ。
【請求項７】
前記ハウジングは、光ファイバブレークアウト領域の少なくとも一部分の周囲又は外側にモールド成形又はオーバーモールド成形される、請求項1に記載のアセンブリ。
【請求項８】
前記光ファイバブレークアウト領域は、前記ハウジングが前記光ファイバブレークアウト領域の外側を覆う前にプリモールド成形される、請求項１に記載のアセンブリ。
【請求項９】
前記解放可能に固定された嵌合部材を有する前記実装部材が、ケーブルトレイ、垂直ワイヤーマネージャ、ラック取付け式の筐体、オーバーヘッドケーブル経路ラック、フロアボックス、マルチメディアワークステーションのアウトレット、壁面取付け式の筐体又はキャビネット、キャビネット、ラック、及びゼロUアプリケーションからなる群から選択される機器に対して取り付けられ、又は前記機器とともに利用される、請求項1に記載のアセンブリ。
【請求項１０】
前記実装部材は、貫通孔を画定する少なくとも一つの貫通孔部材を含み、該貫通孔部材は、前記実装部材をある表面に取り付けられるように構成及び寸法設定される、請求項1に記載のアセンブリ。
【請求項１１】
前記固定部材は、前記支柱部材の両側を越えて延びて実質上T字状の嵌合部材を画定する、請求項1に記載のアセンブリ。
【請求項１２】
ブレークアウトアセンブリを実装部材に取り付ける方法であって、
第1の端部及び第2の端部を有するハウジングを提供するステップであって、該ハウジングは、(i)光ファイバブレークアウト領域の少なくとも一部分を収容するように構成され、(ii)嵌合部材を含み、該嵌合部材が支柱部材及び固定部材を含み、該支柱部材は、前記ハウジングから延び、該固定部材は、該支柱部材の少なくとも一側を越えて延びて該嵌合部材を画定する、ステップと、
前記嵌合部材を実装部材に解放可能に固定するステップと、を含む方法。
【請求項１３】
前記ハウジングの前記第1の端部は、複数の光ファイバケーブル又はファイバを含むケーブル又はハーネスの少なくとも一部分を収容するように構成及び適合され、
前記第2の端部は、2本の光ファイバケーブル又はファイバの少なくとも一部分を収容するように構成及び適合される、請求項12に記載の方法。
【請求項１４】
前記実装部材は、第2の部分より広い第1の部分を有する少なくとも一つのスロットを含み、
前記第1の部分は、前記嵌合部材の前記固定部材を前記スロットの前記第1の部分に通過させるように構成及び寸法設定され、
前記第2の部分は、前記嵌合部材の前記固定部材が前記スロットの前記第1の部分を通過してから前記ハウジングが前記スロットの前記第2の部分の方へ動いた後に、前記嵌合部材を前記実装部材に解放可能に固定するように構成及び寸法設定される、請求項12に記載の方法。
【請求項１５】
第1の端部及び第2の端部を有するハウジングを含み、該ハウジングは、(i)光ファイバブレークアウト領域の少なくとも一部分を収容するように構成され、(ii)嵌合部材を含み、前記嵌合部材は、支柱部材及び固定部材を含み、前記支柱部材は、前記ハウジングから延び、前記固定部材は、前記支柱部材の少なくとも一側を越えて延びて前記嵌合部材を画定する、光ファイバブレークアウトアセンブリと、
第2の部分より広い第1の部分を有する少なくとも一つのスロットを含み、前記第1の部分は、前記嵌合部材の前記固定部材を前記スロットの前記第1の部分に通過させるように構成及び寸法設定される、実装部材と、の組合せであって、
前記ハウジングの前記第1の端部は、複数の光ファイバケーブル又はファイバを含むケーブル又はハーネスの少なくとも一部分を収容するように構成及び適合され、
前記第2の端部は、2本の光ファイバケーブル又はファイバの少なくとも一部分を収容するように構成及び適合され、
前記少なくとも一つのスロットの前記第2の部分は、前記嵌合部材の前記固定部材が前記スロットの前記第1の部分を通過してから前記ハウジングが前記スロットの前記第2の部分の方へ動いた後に、前記嵌合部材を前記実装部材に解放可能に固定するように構成及び寸法設定される、
組合せ。
【国際調査報告】
2014533847.tif 000023